【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
無線通信方法であって、
ユーザ装置（ＵＥ）に関連するセカンダリセルに関する動作停止タイマのための継続時間の設定を受信することと、
通信スペクトル上のチャネルへのアクセスが、保証されているまたは保証されていない、のうちの１つである前記通信スペクトル上で、前記セカンダリセルが動作するように構成されるかどうかを決定することと、
前記決定することに基づいて前記受信された設定から動作停止タイマの継続時間を選択することと、
サービング基地局からの前記セカンダリセルを通じてのチャネル予約信号を検出することと、
前記チャネル予約信号に応答して前記選択された動作停止タイマの継続時間を有する前記動作停止タイマを始動させることと、を備える、方法。
【請求項２】
前記動作停止タイマの前記継続時間にわたってスケジューリングされるデータがないことを検出することと、
前記継続時間の間にスケジューリングされるデータがないことを検出することに応答して、前記セカンダリセルを動作停止させることと、をさらに含む、
請求項１に記載の方法。
【請求項３】
データは、
前記セカンダリセルを通じてダウンリンク許可が受信されるときには、１つ以上の制御チャネルデータ、および
前記セカンダリセルからクロスキャリアでダウンリンク許可が受信されるときには、１つ以上のデータチャネルデータ、
を含む、請求項２に記載の方法。
【請求項４】
無線通信方法であって、
ユーザ装置（ＵＥ）に関連するセカンダリセルに関する動作停止タイマのための継続時間の設定を送信することと、
通信スペクトル上のチャネルへのアクセスが、保証されているまたは保証されていない、のうちの１つである前記通信スペクトル上で、前記セカンダリセルが動作するように構成されるかどうかを決定することと、
前記決定することに基づいて前記設定から動作停止タイマの継続時間を選択することと、
前記ＵＥへの送信のために前記セカンダリセルの成功裏のクリアチャネルアセスメント（ＣＣＡ）検査を検出することと、
前記成功裏のＣＣＡ検査を検出することに応答して、前記セカンダリセルに関する前記選択された動作停止タイマの継続時間を有する前記動作停止タイマを始動させることと、を備える、方法。
【請求項５】
前記動作停止タイマの前記継続時間の間に前記セカンダリセルを通じて前記ＵＥに関してスケジューリングすべきデータがないことを決定することと、
前記継続時間の間にスケジューリングすべきデータがないことを決定したことに応答して、前記セカンダリセルを動作停止させることと、をさらに含む、
請求項４に記載の方法。
【請求項６】
データは、
前記セカンダリセルを通じてダウンリンク許可が送信されるときには、１つ以上の制御チャネルデータ、および
前記セカンダリセルからクロスキャリアでダウンリンク許可が送信されるときには、１つ以上のデータチャネルデータ、
を含む、請求項５に記載の方法。
【請求項７】
プログラムコードが記録されている非一時的なコンピュータ読み取り可能媒体であって、
コンピュータに、ユーザ装置（ＵＥ）に関連するセカンダリセルに関する動作停止タイマのための継続時間の設定を受信させるためのプログラムコードと、
前記コンピュータに、通信スペクトル上のチャネルへのアクセスが、保証されているまたは保証されていない、のうちの１つである前記通信スペクトル上で、前記セカンダリセルが動作するように構成されるかどうかを決定させるためのプログラムコードと、
前記コンピュータに、通信スペクトル上のチャネルへのアクセスが、保証されているまたは保証されていない、のうちの１つである前記通信スペクトル上で、前記セカンダリセルが動作するように構成されるかどうかの前記決定に基づいて前記受信された設定から動作停止タイマの継続時間を選択させるためのプログラムコードと、
前記コンピュータに、サービング基地局からの前記セカンダリセルを通じてのチャネル予約信号を検出させるためのプログラムコードと、
前記コンピュータに、前記チャネル予約信号に応答して前記選択された動作停止タイマの継続時間を有する前記動作停止タイマを始動させるためのプログラムコードと、を備える、非一時的なコンピュータ読み取り可能媒体。
【請求項８】
前記コンピュータに、前記動作停止タイマの前記継続時間にわたってスケジューリングされるデータがないことを検出させるためのプログラムコードと、
前記継続時間の間にスケジューリングされるデータがないことを検出することに応答して実行可能な、前記コンピュータに、前記セカンダリセルを動作停止させるためのプログラムコードと、をさらに含む、
請求項７に記載の非一時的なコンピュータ読み取り可能媒体。
【請求項９】
データは、
前記セカンダリセルを通じてダウンリンク許可が受信されるときには、１つ以上の制御チャネルデータ、および
前記セカンダリセルからクロスキャリアでダウンリンク許可が受信されるときには、１つ以上のデータチャネルデータ、
を含む、請求項８に記載の非一時的なコンピュータ読み取り可能媒体。
【請求項１０】
無線通信のために構成された装置であって、
少なくとも１つのプロセッサと、
前記少なくとも１つのプロセッサに結合されたメモリと、
ここにおいて、前記少なくとも１つのプロセッサは、
ユーザ装置（ＵＥ）に関連するセカンダリセルに関する動作停止タイマのための継続時間の設定を受信することと、
通信スペクトル上のチャネルへのアクセスが、保証されているまたは保証されていない、のうちの１つである前記通信スペクトル上で、前記セカンダリセルが動作するように構成されるかどうかを決定することと、
通信スペクトル上のチャネルへのアクセスが、保証されているまたは保証されていない、のうちの１つである前記通信スペクトル上で、前記セカンダリセルが動作するように構成されるかどうかの前記決定に基づいて前記受信された設定から動作停止タイマの継続時間を選択することと、
サービング基地局からの前記セカンダリセルを通じてのチャネル予約信号を検出することと、
前記チャネル予約信号に応答して前記選択された動作停止タイマの継続時間を有する前記動作停止タイマを始動させることと、
を行うように構成される、を備える、装置。
【請求項１１】
前記動作停止タイマの前記継続時間にわたってスケジューリングされるデータがないことを検出するためと、
前記継続時間の間にスケジューリングされるデータがないことを検出することに応答して、前記セカンダリセルを動作停止させるための前記少なくとも１つのプロセッサの設定をさらに含む、
請求項１０に記載の装置。
【請求項１２】
データは、
前記セカンダリセルを通じてダウンリンク許可が受信されるときには、１つ以上の制御チャネルデータ、および
前記セカンダリセルからクロスキャリアでダウンリンク許可が受信されるときには、１つ以上のデータチャネルデータ、
を含む、請求項１１に記載の装置。
【請求項１３】
前記通信スペクトル上の前記チャネルへのアクセスが保証されている前記通信スペクトル上で、前記セカンダリセルが動作するように構成されるときに選択される前記動作停止タイマの継続時間は、前記通信スペクトル上の前記チャネルへのアクセスが保証されていない前記通信スペクトル上で、前記セカンダリセルが動作するように構成されるときに選択される前記動作停止タイマの継続時間より短い、請求項１に記載の方法。
【請求項１４】
前記通信スペクトル上の前記チャネルへのアクセスが保証されている前記通信スペクトル上で、前記セカンダリセルが動作するように構成されるときに選択される前記動作停止タイマの継続時間は、前記通信スペクトル上の前記チャネルへのアクセスが保証されていない前記通信スペクトル上で、前記セカンダリセルが動作するように構成されるときに選択される前記動作停止タイマの継続時間より短い、請求項４に記載の方法。
【請求項１５】
前記通信スペクトル上の前記チャネルへのアクセスが保証されている前記通信スペクトル上で、前記セカンダリセルが動作するように構成されるときに選択される前記動作停止タイマの継続時間は、前記通信スペクトル上の前記チャネルへのアクセスが保証されていない前記通信スペクトル上で、前記セカンダリセルが動作するように構成されるときに選択される前記動作停止タイマの継続時間より短い、請求項７に記載の非一時的なコンピュータ読み取り可能媒体。
【請求項１６】
前記通信スペクトル上の前記チャネルへのアクセスが保証されている前記通信スペクトル上で、前記セカンダリセルが動作するように構成されるときに選択される前記動作停止タイマの継続時間は、前記通信スペクトル上の前記チャネルへのアクセスが保証されていない前記通信スペクトル上で、前記セカンダリセルが動作するように構成されるときに選択される前記動作停止タイマの継続時間より短い、請求項１０に記載の装置。
【手続補正２】
【補正対象書類名】明細書
【補正対象項目名】００９８
【補正方法】変更
【補正の内容】
【００９８】
[00111]  本開示に関する前の説明は、当業者が本開示を製造または使用することを可能にするために提供される。本開示に対する様々な変更は、当業者にとって容易に明確になるであろう、およびここにおいて定められる一般原理は、本発明の精神または適用範囲から逸脱せずにその他の変形に対して適用することができる。以上のように、本開示は、ここにおいて示される例および設計に限定されるものではなく、ここにおいて開示される原理および新規の特徴に一致する限りにおいて最も広範な適用範囲が認められるべきである。
以下に本願の出願当初の特許請求の範囲に記載された発明を付記する。
［Ｃ１］
無線通信方法であって、
ユーザ装置（ＵＥ）に関連するセカンダリセルに関する動作停止タイマのための継続時間の設定を受信することと、
サービング基地局からの前記セカンダリセルを通じてのチャネル予約信号を検出することと、
前記チャネル予約信号に応答して前記動作停止タイマを始動させることと、を備える、方法。
［Ｃ２］
前記動作停止タイマの前記継続時間にわたってスケジューリングされるデータがないことを検出することと、
前記継続時間に関してスケジューリングされるデータがないことを検出したことに応答して、前記セカンダリセルを動作停止させることと、をさらに含む、
Ｃ１に記載の方法。
［Ｃ３］
データは、
前記セカンダリセルを通じてダウンリンク許可が受信されるときには、制御チャネルデータ、および
前記セカンダリセルからクロスキャリアでダウンリンク許可が受信されるときには、データチャネルデータ、のうちの１つ以上を含む、
Ｃ２に記載の方法。
［Ｃ４］
無線通信方法であって、
ユーザ装置（ＵＥ）に関連するセカンダリセルに関する動作停止タイマのための継続時間の設定を送信することと、
前記ＵＥへの送信のために前記セカンダリセルの成功裏のクリアチャネルアセスメント（ＣＣＡ）検査を検出することと、
前記成功裏のＣＣＡ検査を検出したことに応答して、前記セカンダリセルに関する動作停止タイマを始動させることと、を備える、方法。
［Ｃ５］
前記動作停止タイマの前記継続時間に関して前記セカンダリセルを通じて前記ＵＥに関してスケジューリングすべきデータがないことを決定することと、
前記継続時間に関してスケジューリングすべきデータがないことを決定したことに応答して、前記セカンダリセルを動作停止させることと、をさらに含む、
Ｃ４に記載の方法。
［Ｃ６］
データは、
前記セカンダリセルを通じてダウンリンク許可が送信されるときには、制御チャネルデータ、および
前記セカンダリセルからクロスキャリアでダウンリンク許可が送信されるときには、データチャネルデータ、のうちの１つ以上を含む、
Ｃ５に記載の方法。
［Ｃ７］
無線通信のために構成された装置であって、
ユーザ装置（ＵＥ）に関連するセカンダリセルに関する動作停止タイマのための継続時間の設定を受信するための手段と、
サービング基地局からの前記セカンダリセルを通じてのチャネル予約信号を検出するための手段と、
前記チャネル予約信号に応答して前記動作停止タイマを始動させるための手段と、を備える、装置。
［Ｃ８］
前記動作停止タイマの前記継続時間にわたってスケジューリングされるデータがないことを検出するための手段と、
前記継続時間に関してスケジューリングされるデータがないことを検出したことに応答して実行可能な、前記セカンダリセルを動作停止させるための手段と、をさらに含む、
Ｃ７に記載の装置。
［Ｃ９］
データは、
前記セカンダリセルを通じてダウンリンク許可が受信されるときには、制御チャネルデータ、および
前記セカンダリセルからクロスキャリアでダウンリンク許可が受信されるときには、データチャネルデータ、のうちの１つ以上を含む、
Ｃ８に記載の装置。
［Ｃ１０］
無線通信のために構成された装置であって、
ユーザ装置（ＵＥ）に関連するセカンダリセルに関する動作停止タイマのための継続時間の設定を送信するための手段と、
前記ＵＥへの送信のための前記セカンダリセルの成功裏のクリアチャネルアセスメント（ＣＣＡ）検査を検出するための手段と、
前記成功裏のＣＣＡ検査を検出したことに応答して、前記セカンダリセルに関する動作停止タイマを始動させるための手段と、を備える、装置。
［Ｃ１１］
前記動作停止タイマの前記継続時間に関して前記セカンダリセルを通じて前記ＵＥに関してスケジューリングすべきデータがないことを決定するための手段と、
前記継続時間に関してスケジューリングすべきデータがないことを決定したことに応答して実行可能な、前記セカンダリセルを動作停止させるための手段と、をさらに含む、
Ｃ１０に記載の装置。
［Ｃ１２］
データは、
前記セカンダリセルを通じてダウンリンク許可が送信されるときには、制御チャネルデータ、および
前記セカンダリセルからクロスキャリアでダウンリンク許可が送信されるときには、データチャネルデータ、のうちの１つ以上を含む、
Ｃ１１に記載の装置。